(57)【要約】【課題】飽和蒸気を用いて昇圧させずに高温の過熱蒸気を効率よく安価に作り出すことは可能か。【解決手段】中空管コイルを外筒に密に巻いて高周波電流を通電して電磁誘導加熱を外筒に発生させ、外筒の中に設けた内部を空洞にした内筒の外周と外筒の内周の間に薄板を螺旋状に巻いて埋め、外筒内壁と薄板・薄板間と内筒とに囲まれた空間に飽和蒸気を流す過熱蒸気発生器。【選択図】図１
2011085375.tif 000002
【特許請求の範囲】
【請求項１】
両端を閉塞させたパイプの外周に薄板を緩やかなピッチで螺旋状に狭い幅に１重ネジに立巻きし、ピッチ幅を１とするとネジの高さを４の関係として薄板の巻き始めを軸方向に対して垂直に起こし、ネジの外径と外筒内径との隙間を極力僅少にした外筒に挿入して外筒と内筒に関係するパイプ間をドーナツ状の鏡板で接合し、薄板ネジの巻き始めと終わりの位置の鏡板に孔を設けて外筒の両端をコーン状に形成し、コーン先端に入口と出口を設けて外筒外周にコイルを巻いた電磁誘導過熱蒸気発生器。
【発明の詳細な説明】
【技術分野】
【０００１】  本発明は電磁誘導（以下ＩＨ）を利用した過熱蒸気発生器で、発生器に内蔵させたパイプの外周に薄板を螺旋状に巻きつけて薄板螺旋外径の外部に外筒を設けて挿入させ、外筒の外周にＩＨコイルを巻きつけて外筒の一端に飽和蒸気入口ともう一端に出口を設けたＩＨであり、これを利用して特別管理産業廃棄物の滅菌を可能とした。
【背景技術】
【０００２】  過熱蒸気発生器の機能は加熱させるべきガスに高温と高圧を作り出す発生器ではなく、飽和蒸気を再加熱させるＩＨを利用した発生器は高温蒸気が得られるが圧力は上昇しない利点と欠点を持つ。
従来のスーパー蒸気は温水でも水でも良く、液体を通過させる加熱コイルを多重巻きにし、熱源を与えてコイルを加熱させることで高温と高圧を得ることが出来た。【０００３】  温度も上がるが圧力も上がると危険を伴うため、多重コイルの材質や鋼材の肉厚等を考慮する必要があった。
それと比較しても安全安価ということで近年用途が多岐に渡って使われるようになり、代表的な用途に加温、滅菌、炭化が挙げられる。
ただ使用するガス体としては飽和蒸気が必要となるが、手軽に使用できて用途先近くまでの装置の設置が容易である。【０００４】  ＩＨの過熱蒸気の優劣は高温蒸気量の発生量で決まると言われている。
このように単純な構造で考え出された公開特許も多々ある。公示された方法は、コイルを巻きつけた外筒の内部に詰物を詰める方法で球体や金網、仕切板、ラビリンス状の仕切板、仕切板に多孔板を利用したもの、仕切間に詰物を入れたもの、外筒内に小型パイプを外筒に沿わせて詰めたタイプ等がある。
これらの目的はコイルの磁力の影響により詰物を赤熱させて飽和蒸気通気時に熱交換するという方法である。【０００５】  前記のように通磁性の良い金属で構成させても磁力の及ばない所では伝熱効率に頼るしかない。また詰物を入れれば入れるほど通気抵抗が大きくなり圧損が増大する。
本来は高周波磁束の及ぼす磁場の深さとサイクルの関係にある。
詰物を目一杯発生器の中央まで詰めても伝熱以外の効力は無いが意外とこの方式が使われてきた。【０００６】  同じ使用電力で高温かつ多量の蒸気を作り出す方法は円筒状発生器の内部の詰物を撤去してしまい、空間にパイプを挿入してその外周に薄板を小ピッチで螺旋状に巻きつけて内筒と外筒間の空間を塞ぎ、螺旋状薄板ネジの始まりと終わりを鏡板で塞いで孔を設けて飽和蒸気を通気させる。
【特許文献１】特開２００７−２４３３６  第一高周波工業株式会社
【発明の開示】
【発明が解決しようとする課題】
【０００７】  発生器に挿入させる飽和蒸気を多量の高温ガスに作り出すための抵抗が少なく効率の良い過熱蒸気発生器は可能か。
【課題を解決するための手段】
【０００８】  ＩＨコイルを巻きつける外筒と内蔵する詰物は、通磁性が良好で耐酸化性を持つ材質と磁場の浸透力に合致した外筒の板厚と飽和蒸気入口と高温ガス出口と抵抗の少ない構造の詰物とで構成し、外筒内壁と蒸気との接触を密にさせる。
【発明の効果】
【０００９】  磁場の及ぼす範囲のみ磁性反応材を入れて挿蒸させる。飽和蒸気を極力長いルートでＩＨコイルを巻きつけた外筒内壁に接触させ、接触効率を上げる方法として入口より出口までの長い旅路と抵抗の少ない方法で蒸気を走らせて接触時間を長くする。巻きつけるコイルの長さはＱとＬによって決まるが、コイルに反応する面積は比例する。
【発明を実施するための最良の形態】
【００１０】  ＩＨ過熱蒸気発生器の外周に耐熱材と銅パイプを巻き、内周には壁面に螺旋状の外径が接する状態に薄板を狭いピッチで巻き、巻く比率は螺旋の高さに対してピッチ幅を４：１として薄板螺旋の内径にパイプを通し、不要な空間を閉塞して蒸気を薄板と薄板の隙間に流す。
【実施例】
【００１１】  図１は本発明の１実施例の断面図であって、２．は外筒で１．内筒は比較的直径の大きい外径に３．薄板螺旋を接合する。薄板螺旋のピッチ幅を狭くすると共に薄板螺旋の谷間を深くする。【００１２】  薄板は磁力による赤熱化が早く、蒸気が１２．蒸気入口より入って１３．蒸気出口へ進む過程において、蒸気は先ず９．入気側コーンに囲まれた空間で偏流を防止されて５．閉塞板の外周の一部に設けた６．入気口より薄板螺旋と内筒と外筒に囲まれたトンネル通路に入る。【００１３】  この通路は外筒と薄板の全てを密接に当接された間を螺旋状に続く。外筒内壁はＩＨコイルの磁力により赤熱化し、一部は薄板が内壁に当接しているため伝熱可能である。またＩＨサイクル波の長短によって薄板も磁束に反応し赤熱する。【００１４】  入気した飽和蒸気は長方形のトンネルを通過時に側面と外周円により熱を与えられて温度が上昇する。出口に至るまで障害物は存在せずに長いトンネルのみが続き、最後は７．閉塞板に設けた８．排気口より出て、さらに１０．コーン部を通過して１３．蒸気出口から出て行く。【００１５】  排気口及び入気口の大きさは内筒と外筒と薄板両壁面に囲まれた断面よりも大きくする。
内筒と外筒と閉塞板と薄板は全て磁性材としてコイルによる防錆を可能とし、本発明のＩＨ過熱蒸気発生器は設置に当っては縦置きの方が良好であり、作業終了時の排水の便が良いと共に内部の蒸気が冷却されて液化すると再使用時の熱源の損失となる。
なお内筒内は不要の空間１４．とする。【００１６】  飽和蒸気を１２．蒸気入口より入気して１３．蒸気出口に至るまでの間は外筒外周に１１．断熱材を巻き、コイル外径にも高温に耐える断熱材を設けて４．ＩＨコイルを密に巻く。ＩＨコイルには冷却水を通水し、更に断熱材とＩＨコイルよりも大きく離れた位置に防磁材で囲って取付ブラケットを設ける。【００１７】  挿入させる蒸気圧力は０．２ＭＰａ以下とし、上下左右に高温蒸気を移動させる時はＩＨ過熱蒸気発生器を可動させて蒸気供給側は蒸気用フレキホースにすることで対応が可能である。
【産業上の利用可能性】
【００１８】  多量の高温過熱蒸気を簡単に作り出すため用途としては、空気の存在する雰囲気の中で周囲の温度を１８０℃以上に保温することが可能なら滅菌と炭化を燃焼させることなく可能である。
【図面の簡単な説明】
【００１９】
【図１】電磁誘導過熱蒸気発生器の実施方法を示した説明図（断面図）である。
【符号の説明】
【００２０】  １  内筒
２  外筒
３  薄板螺旋ネジ板
４  ＩＨコイル
５  入気側閉塞板
６  入気口
７  排気側閉塞板
８  排気口
９  入気側コーン
１０  排気側コーン
１１  断熱材
１２  蒸気入口
１３  蒸気出口
１４  内筒空間
【図１】
2011085375.tif 000003